(57)【要約】      （修正有）【課題】座板を椅子本体に配置する際に、連結部材で固着する箇所を軽減しつつ、安全性が確保される強度を有する、座板の高さ位置を調整可能な椅子を提供する。【解決手段】椅子１００は、背凭れ部１６０の下方に配置される左右一対の後脚部１１０Ａ、１１０Ｂと、背凭れ部から前方に延びる左右一対の肘掛け部１２０Ａ、１２０Ｂと、左右一対の肘掛け部の前方端から下方に配置される左右一対の前脚部１３０Ａ、１３０Ｂと、左右一対の後脚部または前記左右一対の肘掛け部のいずれか一方において別部材として配置される左右一対の多段式の突起部材１４０Ａ、１４０Ｂと、左右一対の多段式の突起部材のいずれかの段に嵌入され、他方において当該段に応じた高さ位置で固着される座板１５０とを備え、左右一対の多段式の突起部材は、左右一対の後脚部または左右一対の肘掛け部に固着されるための固着手段と複数の凸部とを含み、当該凸部の間に座板が嵌入される。【選択図】図１
0003219007.tif 000002
【実用新案登録請求の範囲】
【請求項１】
高さ位置を調整可能な椅子であって、
背凭れ部の下方に配置される左右一対の後脚部と、
前記背凭れ部から前方に延びる左右一対の肘掛け部と、
前記左右一対の肘掛け部の前方端から下方に配置される左右一対の前脚部と、
前記左右一対の後脚部または前記左右一対の肘掛け部のいずれか一方において別部材として配置される左右一対の多段式の突起部材と、
前記左右一対の多段式の突起部材のいずれかの段に嵌入され、他方において当該段に応じた高さ位置で固着される座板とを備え、
前記左右一対の多段式の突起部材は、前記左右一対の後脚部または前記左右一対の肘掛け部に固着されるための固着手段と複数の凸部とを含み、当該凸部の間に前記座板が嵌入されることを特徴とする、椅子。
【請求項２】
前記左右一対の多段式の突起部材は、樹脂製であることを特徴とする、請求項１に記載の椅子。
【請求項３】
前記左右一対の多段式の突起部材が配置される前記左右一対の後脚部または前記左右一対の肘掛け部には、前記左右一対の多段式の突起部材が配置される領域において、当該前記左右一対の多段式の突起部材の形状に応じて凹部が形成されていることを特徴とする、請求項１または請求項２に記載の椅子。
【請求項４】
前記左右一対の多段式の突起部材は、前記左右一対の後脚部のそれぞれ内側部分に配置され、
前記座板は、前記左右一対の後脚部のそれぞれ内側部分に配置された前記左右一対の多段式の突起部材のいずれかの段に嵌入され、前記左右一対の肘掛け部において当該段に応じた高さ位置で固着されることを特徴とする、請求項１乃至請求項３のいずれかに記載の椅子。
【請求項５】
前記複数の凸部それぞれは、先細り形状であることを特徴とする、請求項１乃至請求項４のいずれかに記載の椅子。
【請求項６】
前記複数の凸部それぞれは、上面において平坦形状を有し、下面において曲面形状を有することを特徴とする、請求項１乃至請求項５のいずれかに記載の椅子。
【請求項７】
前記左右一対の多段式の突起部材のいずれかの段に嵌入された前記座板は、前記複数の凸部のうち２つの凸部によって挟持され、当該座板の上面は、上方の凸部の下面における曲面形状によって点または線当接され、当該座板の下面は、下方の凸部の上面における平坦形状によって面当接されることを特徴とする、請求項６に記載の椅子。
【請求項８】
前記左右一対の肘掛け部は、後方から前方に向かって下方向に傾斜していることを特徴とする、請求項１乃至請求項７のいずれかに記載の椅子。
【請求項９】
前記座板は、中央部において曲面形状であり、左右両端部において平坦形状であることを特徴とする、請求項１乃至請求項８のいずれかに記載の椅子。
【考案の詳細な説明】
【技術分野】
【０００１】
本考案は、椅子に関し、より特定的には、座板の高さ位置を調整可能な椅子に関する。
【背景技術】
【０００２】
一般的に、子供用の椅子として、幼児期からの成長に合わせて座板の高さ位置を調整できる椅子が普及している。当該椅子には、例えば、椅子本体の脚部などにおいて、様々な高さ位置に孔が設けられており、ボルトなどの連結部材を用いて座板を着座者の身長に合わせた高さ位置に取り付けられるようになっている。
【０００３】
ここで、安全性を確保するためには座板を確実に椅子本体に固着しなければならず、当該座板は、複数個所においてボルトなどの連結部材を用いて椅子本体に取り付けられることになる。
【０００４】
しかし、ボルトなどの連結部材を用いて座板を椅子本体に取り付ける際には、ペンチ、螺旋回し、レンチ、またはスパナなどの工具が必要となり、使用者にとっては、非常に煩わしい。
【０００５】
そこで、一部にボルトなどの連結部材を用いずに、座板を着座者の身長に合わせた高さ位置に取り付けられる椅子および椅子の調整方法が提案されている（例えば、特許文献１参照）。具体的には、特許文献１に記載の椅子は、座板を椅子本体に配置する際に、前方部において、ブラケット板とフロント枠部とをボルトとナットを用いて取り付けているが、後方部においては、リア枠に多段に形成された嵌合溝に当該座板の側部を嵌め込んでいるのみである。
【０００６】
これにより、特許文献１に記載の椅子は、座板を椅子本体に配置する際に、一部にボルトなどの連結部材を用いずに座板を椅子本体に設置し、使用者にとっての煩わしさを軽減している。
【先行技術文献】
【特許文献】
【０００７】
【特許文献１】特開２０１５−２２３１８７号公報
【考案の概要】
【考案が解決しようとする課題】
【０００８】
しかしながら、特許文献１に記載の椅子および椅子の調整方法では、椅子本体のリア枠に嵌合溝を形成しなければならず、木製の椅子である場合、当該嵌合溝を正確かつ細かく形成することは容易でないという問題点がある。
【０００９】
また、当該嵌合溝を正確かつ細かく形成できたとしても、木製である場合、着座による荷重で形状が変形したり、破損したりする可能性があり、強度面においても懸念が残る。
【００１０】
それ故に、本考案は、上記のような課題に鑑みてなされたものであって、本考案の目的の１つは、座板を椅子本体に配置する際に、連結部材で固着する箇所を軽減しつつ、安全性が確保される強度を有する、座板の高さ位置を調整可能な椅子を提供することである。
【課題を解決するための手段】
【００１１】
上記目的を達成するために、本考案は、少なくとも以下のような構成を備え、もしくは手順を実行する。なお、以下の説明において、本考案の理解を容易にするために図面に示されている符号等を付記する場合があるが、本考案の各構成要素は、図面に示されているものに限定されるものではなく、当業者が技術的に理解しうる範囲にまで広く解釈されるべきものである。
【００１２】
本考案の一局面に係る椅子は、高さ位置を調整可能な椅子であって、背凭れ部の下方に配置される左右一対の後脚部と、前記背凭れ部から前方に延びる左右一対の肘掛け部と、前記左右一対の肘掛け部の前方端から下方に配置される左右一対の前脚部と、前記左右一対の後脚部または前記左右一対の肘掛け部のいずれか一方において別部材として配置される左右一対の多段式の突起部材と、前記左右一対の多段式の突起部材のいずれかの段に嵌入され、他方において当該段に応じた高さ位置で固着される座板とを備え、前記左右一対の多段式の突起部材は、前記左右一対の後脚部または前記左右一対の肘掛け部に固着されるための固着手段と複数の凸部とを含み、当該凸部の間に前記座板が嵌入されることを特徴とする。
かかる構成により、本考案の一局面に係る椅子は、前記左右一対の後脚部または前記左右一対の肘掛け部のいずれか一方において別部材として配置される左右一対の多段式の突起部材を備えているため、座板を椅子本体に配置する際に、連結部材で固着する箇所を軽減しつつ、安全性が確保される強度を有することができる。
【００１３】
また、好ましくは、前記左右一対の多段式の突起部材は、樹脂製であることを特徴とする。
かかる構成により、本考案の一局面に係る椅子は、座板が配置される箇所において、より安全性が確保される強度を有することができる。
【００１４】
また、好ましくは、前記左右一対の多段式の突起部材が配置される前記左右一対の後脚部または前記左右一対の肘掛け部には、前記左右一対の多段式の突起部材が配置される領域において、当該前記左右一対の多段式の突起部材の形状に応じて凹部が形成されていることを特徴とする。
かかる構成により、本考案の一局面に係る椅子は、前記左右一対の多段式の突起部材を椅子本体に安定して固着することができる。
【００１５】
また、好ましくは、前記左右一対の多段式の突起部材は、前記左右一対の後脚部のそれぞれ内側部分に配置され、前記座板は、前記左右一対の後脚部のそれぞれ内側部分に配置された前記左右一対の多段式の突起部材のいずれかの段に嵌入され、前記左右一対の肘掛け部において当該段に応じた高さ位置で固着されることを特徴とする。
かかる構成により、本考案の一局面に係る椅子は、前記左右一対の多段式の突起部材は、前記左右一対の後脚部のそれぞれ内側部分に配置されるため、より製造し易く、使用者にとっても、座板を椅子本体に配置する際に、より設置し易い構成となっている。
【００１６】
また、好ましくは、前記複数の凸部それぞれは、先細り形状であることを特徴とする。
かかる構成により、本考案の一局面に係る椅子は、使用者にとって、座板を椅子本体に配置する際に、当該凸部の間に座板をより嵌入し易い構成となっている。
【００１７】
また、好ましくは、前記複数の凸部それぞれは、上面において平坦形状を有し、下面において曲面形状を有することを特徴とする。
かかる構成により、本考案の一局面に係る椅子は、凸部の間に座板を配置した際に、ガタつくことを軽減し、より安定して設置することができる。
【００１８】
また、好ましくは、前記左右一対の多段式の突起部材のいずれかの段に嵌入された前記座板は、前記複数の凸部のうち２つの凸部によって挟持され、当該座板の上面は、上方の凸部の下面における曲面形状によって点または線当接され、当該座板の下面は、下方の凸部の上面における平坦形状によって面当接されることを特徴とする。
かかる構成により、本考案の一局面に係る椅子は、凸部の間に座板を配置した際に、ガタつくことを軽減し、より安定して設置することができる。
【００１９】
また、好ましくは、前記左右一対の肘掛け部は、後方から前方に向かって下方向に傾斜していることを特徴とする。
かかる構成により、本考案の一局面に係る椅子は、傾斜構造を利用して、座板の高さ位置を調整可能とし、デザイン性にも優れている。
【００２０】
また、好ましくは、前記座板は、中央部において曲面形状であり、左右両端部において平坦形状であることを特徴とする。
かかる構成により、本考案の一局面に係る椅子は、使用者にとって、より優れた着座感を保持しつつ、座板を椅子本体に配置する際に、当該凸部の間に座板をより嵌入し易い構成となっている。
【考案の効果】
【００２１】
以上のように、本考案によれば、座板を椅子本体に配置する際に、連結部材で固着する箇所を軽減しつつ、安全性が確保される強度を有する、座板の高さ位置を調整可能な椅子を実現することができる。
【図面の簡単な説明】
【００２２】
【図１】本考案の一実施形態に係る椅子１００の概要を示す斜視図である。
【図２】本考案の一実施形態に係る椅子１００のうち、座板１５０を外した様子を示す図である。
【図３】本考案の一実施形態に係る椅子１００の概要を示す正面図である。
【図４】本考案の一実施形態に係る椅子１００における後脚部１１０Ｂの内側部分に配置された多段式の突起部材１４０Ｂの様子を示す拡大図である。
【図５】多段式の突起部材１４０Ｂの概要を示す斜視図である。
【図６】多段式の突起部材１４０Ｂにおける凸部１４２の形状を示す側面図である。
【考案を実施するための形態】
【００２３】
以下、本考案の一実施形態について、図面を参照しながら具体的に説明する。なお、以下で説明する実施形態は、あくまで、本考案を実施するための具体的な一例を挙げるものであって、本考案を限定的に解釈させるものではない。
【００２４】
＜概要＞
図１は、本考案の一実施形態に係る椅子１００の概要を示す斜視図である。図１において、椅子１００は、左右一対の後脚部１１０Ａ，１１０Ｂと、左右一対の肘掛け部１２０Ａ，１２０Ｂと、左右一対の前脚部１３０Ａ，１３０Ｂと、左右一対の多段式の突起部材１４０Ａ，１４０Ｂと、座板１５０と、背凭れ部１６０と、足置き部１７０と、足元収納部１８０と、貫１９０とを備える。
【００２５】
なお、椅子１００は、左右一対の多段式の突起部材１４０Ａ，１４０Ｂを除いて、木製であるが、必ずしも全て木製でなくてもよく、例えば、座板１５０や背凭れ部１６０については着座感を考慮してクッション性を有する素材を用いても構わない。また、強度、製造コスト、および利便性に応じて、適材適所に、樹脂、金属、革、または布などを用いても構わない。
【００２６】
左右一対の後脚部１１０Ａ，１１０Ｂは、それぞれ背凭れ部１６０の左右両端から下方に向かって延びるように配置されている。
【００２７】
左右一対の肘掛け部１２０Ａ，１２０Ｂは、それぞれ背凭れ部１６０の左右両端から前方に向かって延びるように配置され、後方から前方に向かって下方向に傾斜するような計上であって、デザイン性にも優れている。
【００２８】
なお、左右一対の肘掛け部１２０Ａ，１２０Ｂには、座板１５０の高さ位置調整のために複数の孔が設けられているが、当該傾斜構造であれば座板１５０の高さ位置を細かいピッチで調整することができる。特に、乳幼児や子供の成長を鑑みると、このように細かいピッチで座板１５０の高さ位置を調整できる方が好ましい。
【００２９】
左右一対の前脚部１３０Ａ，１３０Ｂは、それぞれ左右一対の肘掛け部１２０Ａ，１２０Ｂの前方端から下方に向かって延びるように配置されている。左右一対の前脚部１３０Ａ，１３０Ｂは、後述する足置き部１７０の高さ位置調整のために複数の孔が設けられている。
【００３０】
左右一対の多段式の突起部材１４０Ａ，１４０Ｂは、それぞれ左右一対の後脚部１１０Ａ，１１０Ｂの内側に別部材として配置されている。
【００３１】
図２は、本考案の一実施形態に係る椅子１００のうち、座板１５０を外した様子を示す図である。座板１５０は、後方において、左右一対の後脚部１１０Ａ，１１Ｂそれぞれに取り付けられている左右一対の多段式の突起部材１４０Ａ，１４０Ｂのいずれかの段に嵌入される。前方においては、それぞれ左右一対の肘掛け部１２０Ａ，１２０Ｂに設けられた複数の孔のうち、座板１５０が嵌入された左右一対の多段式の突起部材１４０Ａ，１４０Ｂのいずれかの段に応じた高さ位置に対応した孔で、例えば、ボルトなどを用いて固着されている。このように、使用者は、座板１５０を適切な高さ位置に調整できるようになっている。
【００３２】
図３は、本考案の一実施形態に係る椅子１００の概要を示す正面図である。図３に示すように、座板１５０は、中央部において曲面形状であり、左右両端部において平坦形状となっている。これにより、より優れた着座感を保持しつつ、座板１５０をそれぞれ左右一対の多段式の突起部材１４０Ａ，１４０Ｂのいずれかの段に嵌入する際に、より嵌入し易い構成となっている。
【００３３】
背凭れ部１６０は、着座者が凭れる部分であって、ここでは１枚の木製の背板で構成されているが、これに限定されるものではなく、例えば、笠木や背貫を含むような構成であっても構わない。また、クッション性を有する布製や革製のものを適用しても構わない。
【００３４】
足置き部１７０は、着座時に着座者が足を置く部分であり、着脱可能になっているとともに、さらに高さ位置も調整可能となっており、着座者の身長や体型、嗜好等に合わせて、着脱および高さ調整をすればよい。
【００３５】
具体的には、適切な高さ位置に足置き部１７０が配置されるように、左右一対の前脚部１３０Ａ，１３０Ｂに設けられた複数の孔のうち、いずれかを選択し、当該選択された孔で、例えば、ボルトなどを用いて固着される。特に、乳幼児や子供が着座する際は、座板１５０を比較的高い位置に設置し、足が宙に浮くことになる。その際、適切な高さ位置に足置き部１７０を配置すれば、乳幼児や子供も足が宙に浮くことなく、安定して着座することができる。
【００３６】
足元収納部１８０は、足元の空間を利用した収納スペースを構成している。また、椅子１００の底面を安定させることができ、転倒する可能性を軽減することもできる。
【００３７】
貫１９０は、左右一対の後脚部１１０Ａ，１１０Ｂを中央近傍で連結して補強している。また、ここでは、１本の貫１９０を採用しているが、これに限定されるものではなく、平行して２本の貫を採用しても構わないし、さらには、後脚部１１０Ａ（１１０Ｂ）と前脚部１３０Ａ（１３０Ｂ）とを連結する貫を採用しても構わない。
【００３８】
＜左右一対の多段式の突起部材＞
次に、左右一対の多段式の突起部材１４０Ａ，１４０Ｂについて詳しく説明する。
図４は、本考案の一実施形態に係る椅子１００における後脚部１１０Ｂの内側部分に配置された多段式の突起部材１４０Ｂの様子を示す拡大図である。
【００３９】
図４において、多段式の突起部材１４０Ｂは、後脚部１１０Ｂの内側部分に固着されている。具体的には、例えば、多段式の突起部材１４０Ｂに設けられた孔を貫通させるようにして、金属製のボルトや螺子などを用いて、木製である後脚部１１０Ｂに多段式の突起部材１４０Ｂを固着する。
【００４０】
なお、多段式の突起部材１４０Ｂが配置される後脚部１１０Ｂの領域には、当該多段式の突起部材１４０Ｂの形状を模って凹部を形成しておき、当該凹部に多段式の突起部材１４０Ｂを嵌め込んだ上で、上述したように、ボルトや螺子などを用いて固着する。
【００４１】
これにより、多段式の突起部材１４０Ｂを安定して固着させることができ、多段式の突起部材１４０Ｂを後脚部１１０Ｂに配置する際のずれを軽減させることができる。また、購入者や使用者によって組み立てを行う際にも配置位置が理解し易いため、容易に組み立てることができ、カラーバリエーションを豊富に揃えれば、使用者の嗜好に合わせて取り替えることも可能となる。
【００４２】
さらに、椅子本体は、概ね木製であるところ、多段式の突起部材１４０Ｂは、椅子本体とは別部材である樹脂製である。樹脂製であれば、後述する凸部の形状を製造し易く、また、木製よりも強度に製造することもでき、座板１５０を支持する際にはより安全性が確保できる。
【００４３】
図５は、多段式の突起部材１４０Ｂの概要を示す斜視図であり、図６は、多段式の突起部材１４０Ｂにおける凸部１４２の形状を示す側面図である。図５および図６において、多段式の突起部材１４０Ｂは、固着手段１４１と凸部１４２とを含む。
【００４４】
さらに、固着手段１４１は、例えば、ボルトや螺子などを貫通させる孔で構成され、上中下に配置された３つの孔、固着手段１４１ａ〜１４１ｃで構成されている。
【００４５】
凸部１４２は、８つの凸部１４２ａ〜１４２ｈで構成されている。これらのいずれかの間に座板１５０が嵌入され、座板１５０の高さ位置を調整可能としてる。
【００４６】
凸部１４２ａ〜１４２ｈは、それぞれ先細り形状となっており、いずれかの間に座板１５０を嵌入する際に、椅子本体の前側から嵌入し易い構造としている。
【００４７】
さらに、最上部の凸部１４２ａの上面および最下部の凸部１４２ｈの下面を除いて、凸部１４２ａ〜１４２ｈは、上面において平坦形状を有し、下面において曲面形状を有するように構成されている。
【００４８】
例えば、座板１５０を凸部１４２ｃと凸部１４２ｄとの間に嵌入した場合、凸部１４２ｃの下面の曲面形状と座板１５０の上面とが点または線当接され、凸部１４２ｄの上面の平坦形状と座板１５０の下面とが面当接される。その結果、座板１５０は、ガタつくことが軽減され、より安定して設置することができる。
【００４９】
なお、ここでは、３つの固着手段１４１ａ〜１４１ｃおよび８つの凸部１４２ａ〜１４２ｈを例に挙げて説明したが、それぞれ３つおよび８つ以外であっても構わない。固着の安定度や高さ調整の領域に合わせて適宜数を設定すればよい。
【００５０】
また、ここでは、左右一対の多段式の突起部材１４０Ａ，１４０Ｂのうち、図４〜図６において、多段式の突起部材１４０Ｂについて詳しく説明したが、対照の多段式の突起部材１４０Ａについても同様であることは言うまでもない。
【００５１】
以上のように、本考案の一実施形態に係る椅子１００によれば、座板１５０を椅子本体に配置する際に、連結部材で固着する箇所を軽減しつつ、安全性が確保される強度を有する、座板１５０の高さ位置を調整可能な椅子を実現することができる。
【００５２】
また、本考案の一実施形態に係る椅子１００は、背凭れ部１６０の下部が開いているため、座板１５０を当該開いている後方に突き出すことができ、背凭れ部１６０と座板１５０の前方とを適切な距離に保つことができる。換言すれば、左右一対の肘掛け部１２０Ａ，１２０Ｂの傾斜に沿って座板１５０の前方位置を固定することができ、着座者にとって実際に着座する座面１５０の奥行き距離を適切に保つことができる。
【００５３】
なお、椅子１００は、幅の広い座板１５０を採用して、幅広の椅子を製造すれば、乳幼児から大人まで使用することができるようになり、その際には、座板１５０の高さ調整位置も使用者に応じて調整できるように構成すればよい。また、乳幼児や子供が使用する際には、テーブルやトレーを配置できるように、着脱可能なテーブルやトレーを備えていても構わない。
【００５４】
さらに、本実施形態では、左右一対の後脚部１１０Ａ，１１０Ｂの内側部分にそれぞれ左右一対の多段式の突起部材１４０Ａ，１４０Ｂを配置する構成としたが、左右一対の肘掛け部１２０Ａ，１２０Ｂにそれぞれ左右一対の多段式の突起部材１４０Ａ，１４０Ｂを配置するようにしても構わない。この場合、左右一対の後脚部１１０Ａ，１１０Ｂに複数の孔が設けて座板１５０を固定するようにする。
【００５５】
以上、本考案の一実施形態についての具体的な説明を行った。上記説明は、あくまで一実施形態としての説明であって、本考案の範囲はこの一実施形態に留まらず、当業者が把握可能な範囲にまで広く解釈されるものである。
【産業上の利用可能性】
【００５６】
本考案は、座板の高さ位置を調整可能な椅子等に利用可能であって、特に、木製の子供用椅子に有用である。
【符号の説明】
【００５７】
１００  椅子
１１０Ａ，１１０Ｂ  後脚部
１２０Ａ，１２０Ｂ  肘掛け部
１３０Ａ，１３０Ｂ  前脚部
１４０Ａ，１４０Ｂ  多段式の突起部材
１４１，１４１ａ〜１４１ｃ  固着手段
１４２，１４２ａ〜１４２ｈ  凸部
１５０  座板
１６０  背凭れ部
１７０  足置き部
１８０  足元収納部
１９０  貫
【図１】
0003219007.tif 000003
【図２】
0003219007.tif 000004
【図３】
0003219007.tif 000005
【図４】
0003219007.tif 000006
【図５】
0003219007.tif 000007
【図６】
0003219007.tif 000008